(57)【要約】  本発明は、可撓性ラッピング要素（２）と、ハンドバッグの周りで前記ラッピング要素（２）を閉じるための手段（３）とを備えるハンドバッグ用の保護カバー（１）であって、前記ラッピング要素（２）が、前記ハンドバッグと接触する内面（２１）と、外面（２２）と、前記カバーを収納するための手段とを備え、前記収納手段が、前記外面（２２）に配置された第１のポケット（４）と、前記内面（２１）に配置された第２のポケット（５）とを備える保護カバー（１）に関する。【選択図】図８
2013516252.tif 000002
【特許請求の範囲】
【請求項１】
可撓性ラッピング要素（２）と、ハンドバッグの周りで前記ラッピング要素（２）を閉じるための手段（３）とを備えるハンドバッグ用の保護カバー（１）であって、前記ラッピング要素（２）が、前記ハンドバッグと接触する内面（２１）と、外面（２２）と、前記カバー（１）を収納するための手段とを備え、前記収納手段が、前記外面（２２）に配置された第１のポケット（４）と、前記内面（２１）に配置された第２のポケット（５）とを備える保護カバー（１）。
【請求項２】
前記ラッピング要素（２）の前記外面（２２）に配置された前記ポケット（４）の端部と、前記ラッピング要素（２）の前記内面（２１）に配置された前記ポケット（５）の端部とが、前記保護カバー（１）の開口部（２３）に通じる開口部を形成する請求項１に記載の保護カバー（１）。
【請求項３】
前記ラッピング要素（２）が生物分解性材料から製造される請求項１又は２に記載の保護カバー（１）。
【請求項４】
前記ラッピング要素（２）が弾性材料から製造される請求項１〜３のいずれか一項に記載の保護カバー（１）。
【請求項５】
前記ラッピング要素（２）が不透過性材料から製造される請求項１〜４のいずれか一項に記載の保護カバー（１）。
【請求項６】
前記ラッピング要素（２）が、合成繊維及び／又は天然繊維ベースのプラスチックフィルム、不織布又は織布である請求項１〜５のいずれか一項に記載の保護カバー（１）。
【請求項７】
前記閉鎖手段（３）が前記ラッピング要素（２）の周辺に及び前記ラッピング要素（２）の縁部に配置される請求項１〜６のいずれか一項に記載の保護カバー（１）。
【請求項８】
前記閉鎖手段（３）が、引き紐（３２）と、前記引き紐（３２）が出る開口部（３１）とを含む縫い目（３０）を備える請求項１〜７のいずれか一項に記載の保護カバー（１）。
【請求項９】
前記閉鎖手段が弾性手段である請求項１〜８のいずれか一項に記載の保護カバー（１）。
【請求項１０】
前記ラッピング要素（２）が、ゴム紐を通す縫い目（３０）又はパイプを備え、前記ゴム紐の張力により、前記ラッピング要素が全てのハンドバッグに適合されかつ正確に保持されることが可能になる請求項１〜９のいずれか一項に記載の保護カバー（１）。
【請求項１１】
前記ラッピング要素（２）が、保護すべき前記ハンドバッグの高さの半分に一致する高さを有する請求項１〜１０のいずれか一項に記載の保護カバー（１）。
【請求項１２】
前記ラッピング要素（２）が、保護すべき前記ハンドバッグの高さの３分の１に一致する高さを有する請求項１〜１１のいずれか一項に記載の保護カバー（１）。
【請求項１３】
前記ラッピング要素（２）が、保護すべき前記ハンドバッグの高さの４分の１に一致する高さを有する請求項１〜１１のいずれか一項に記載の保護カバー（１）。
【請求項１４】
第２のラッピング要素と、前記第２のラッピング要素を収納する及び／又は取り出すための手段とをさらに備える請求項１〜１３のいずれか一項に記載の保護カバー（１）。
【請求項１５】
ハンドバッグの底部を保護するための請求項１〜１４のいずれか一項に記載の保護カバー（１）の使用。
【発明の詳細な説明】
【技術分野】
【０００１】
本発明は、ハンドバッグ用の保護カバーに関する。
【背景技術】
【０００２】
悪天候から又は任意の種類の汚染物から日用品を保護することは、その品物が清潔であるか、例えば泥、埃又は微生物等の汚染物から品物を保護したいかどうか、或いはその品物が汚れているか、汚染された品物と接触する可能性がある他の品物を保護しなければならないかどうかというような、特に衛生上の理由により、多くの人々の日常の関心事である。
【０００３】
多数の可能性の中で、潜在的に汚染するか又は汚染されることがある、例えば衣類、ベッド、自動車のシート、携帯電話、手荷物及びハンドバッグを含むあらゆる日用品のために、保護カバーを使用することが周知である。
【０００４】
特に、ハンドバッグに関しては、女性達がハンドバッグを手放すことは極めて稀であり、ハンドバッグを事務所や、車内や、公衆トイレに持って行く。そして、帰宅時には、多くの女性達がキッチンテーブルや作業面に自分のハンドバッグを置く。このことは明らかな衛生上の問題を提起している。
【０００５】
ハンドバッグで実行される微生物学的試験により、前記バッグの大部分が、一般に、胃腸の不調又は食中毒をもたらすことがあるサルモネラ菌又は黄色ブドウ球菌等の病原菌のキャリアであることが明らかになっていることが周知である。
【０００６】
この衛生上の問題は、多数の汚染源が公衆トイレ等の場所に潜在的に存在する場合にますます大きな関心事となる。
【０００７】
さらに、ハンドバッグは、単に実用品ということではなく、高級品でもあるので、ハンドバッグが製造される材料と同様に美的観点からもハンドバッグを保護することが望ましい。
【０００８】
それにもかかわらず、ハンドバッグが手の妨げとなり、地面に又は汚染されているか又は湿った表面に置かなければならない状況で、ハンドバッグを汚染物又は悪天候から確実に保護することは、一般的に困難である。
【０００９】
米国特許第２００８２６４５３１号明細書は、保護カバーを囲む少なくとも１つの弾性ストリップを備えるハンドバッグ用の保護カバーを記載しており、この保護カバーは、ハンドバッグを持ち運ぶために使用される持ち手又はストラップを除いて、保護すべきバッグの全てを収納する。それにもかかわらず、このようなカバーには、保護すべきバッグの外観を隠すだけでなく、ハンドバッグの壁部に存在し得るポケット又は外部仕切りへのアクセスも不可能にするという欠点がある。さらに、このようなカバーには、不使用時の収納又は持ち運びが嵩張るという欠点がある。
【発明の概要】
【発明が解決しようとする課題】
【００１０】
本発明は、従来技術の欠点がない解決策を提案する。
【００１１】
本発明は、従来技術の解決策に対する代替形態を提供することを目的とする。
【００１２】
本発明は、安価であり、使用前及び使用後の収納が容易であり、設置が容易であり、そして任意のタイプ及び任意のサイズのハンドバッグに適合させることができるハンドバッグ用の保護カバーを提供することを目的とする。
【００１３】
さらに、本発明は、ハンドバッグを、汚染されているか又は湿った表面に置く場合に、ハンドバッグの底部の保護を提供することを目的とする。
【００１４】
本発明はまた、保護すべきハンドバッグへの容易なアクセスを可能にする保護を提供すること、及びハンドバッグ自体の中に、又は前記バッグの外側に配置されたポケット又は仕切りの中にハンドバッグを収納することを目的とする。
【課題を解決するための手段】
【００１５】
本発明は、可撓性ラッピング要素と、ハンドバッグの周りでラッピング要素を閉じるための手段とを備えるハンドバッグ用の保護カバーであって、ラッピング要素が、ハンドバッグと接触する内面と、外面と、カバーを収納するための手段とを備え、収納手段が、前記外面に配置された第１のポケットと、前記内面に配置された第２のポケットとを備える保護カバーを記載している。
【００１６】
特定の実施形態によれば、保護カバーは、複数の以下の特徴、すなわち、
−ラッピング要素の外面に配置されたポケットの端部と、ラッピング要素の内面に配置されたポケットの端部とが、前記保護カバーの開口部に通じる開口部を形成すること、
−ラッピング要素が生物分解性材料から製造されること、
−ラッピング要素が弾性材料から製造されること、
−ラッピング要素が不透過性材料から製造されること、
−ラッピング要素が、合成繊維及び／又は天然繊維ベースのプラスチックフィルム、不織布又は織布であること、
−閉鎖手段がラッピング要素の周辺に及びその縁部に配置されること、
−閉鎖手段が、引き紐と、前記引き紐が出る開口部とを含む縫い目を備えること、
−閉鎖手段が弾性手段であること、
−ラッピング要素が、ゴム紐を通す縫い目又はパイプを備え、このゴム紐の張力により、前記ラッピング要素が全てのハンドバッグに適合されかつ正確に保持されることが可能になること、
−ラッピング要素が、保護すべきハンドバッグの高さの半分に一致する高さを有すること、
−ラッピング要素が、保護すべきハンドバッグの高さの３分の１に一致する高さを有すること、
−ラッピング要素が、保護すべきハンドバッグの高さの４分の１に一致する高さを有すること、
−保護カバーが、第２のラッピング要素と、第２のラッピング要素を収納する及び／又は取り出すための手段とを備えること
の１つ又は任意の組み合わせを含む。
【００１７】
本発明はまた、ハンドバッグの底部を保護するための本発明による保護カバーの使用を記載している。
【図面の簡単な説明】
【００１８】
【図１】図１は、第１の実施形態による保護カバーの概略側面図である。
【００１９】
【図２】図２は、第２の実施形態による保護カバーの概略斜視図である。
【００２０】
【図３】図３は、第３の実施形態による保護カバーの概略平面図である。
【００２１】
【図４】図４は、本発明による保護カバーが形成される前のオーバーラップ要素の概略図である。
【００２２】
【図５】図５は、本発明による保護カバーの形成ステップにおけるオーバーラップ要素の概略図である。
【００２３】
【図６】図６は、ａ）オーバーラップ要素を使用するために外部ポケットに、又はｂ）オーバーラップ要素が使用されると内部ポケットに折り畳まれるオーバーラップ要素の概略図である。
【００２４】
【図７】図７は、開かれて使用状態にある保護カバーの概略斜視図である。
【００２５】
【図８】図８は、使用中の保護カバーの概略斜視図である。
【００２６】
【図９】図９は、使用後に保護カバーのラッピング要素が裏返されている保護カバーの概略斜視図である。
【発明を実施するための形態】
【００２７】
本発明によるハンドバッグ用の保護カバー１は、保護すべきハンドバッグと接触する内面２１と外面２２とを備えるラッピング要素２を備える。
【００２８】
ラッピング要素２は任意の適切な形状であることができる。ラッピング要素２は、例えば、正方形、長方形（図１）、円筒形（図２）、卵形又は楕円形（図３）であってもよい。
【００２９】
ラッピング要素２は、任意の適切な材料から製造された可撓性ラップである。
【００３０】
好ましくは、ラッピング要素２は生物分解性材料から製造される。
【００３１】
好ましくは、ラッピング要素２は弾性材料から製造される。
【００３２】
好ましくは、ラッピング要素２は不透過性材料から製造される。
【００３３】
本発明の好ましい実施形態では、ラッピング要素２は不透過性材料から完全に製造される。
【００３４】
ラッピング要素２はプラスチックフィルム、不織布、又は合成繊維及び／又は天然繊維ベースの布であってもよい。好ましくは、ラッピング要素２は０．５ｍｍ〜５ｍｍの厚さを有する。
【００３５】
ラッピング要素２は単一片からなるか、又は織布要素又は不織布要素の複数の片の結合によって形成されてもよい。
【００３６】
本発明の好ましい実施形態では、ラッピング要素２の底部は不透過性材料の少なくとも１つの層を備える。好ましくは、ラッピング要素２の底部の外面２２は不透過性材料によって覆われる。
【００３７】
好ましくは、ラッピング要素２は複数の織布要素又は不織布要素を備え、例えば紙から有利に製造することができる織布要素又は不織布要素の一方は、保護カバー１に取り付けられるが、使用後に廃棄するために保護カバー１から分離することが可能である。
【００３８】
本発明によるハンドバッグ用の保護カバー１はまた、ラッピング要素２の周辺に及びその縁部に配置された、前記ラッピング要素２を閉じるための手段３を備える。閉鎖手段３により、ラッピング要素２が、開口部２３を備えるポケットを形成することが可能になる。保護カバー１は、前記開口部２３を通して保護すべきハンドバッグの周りに装着され、保護すべき前記ハンドバッグは、ラッピング要素２によって形成されたポケットに収容される。
【００３９】
本発明の好ましい実施形態では、閉鎖手段３は、保護すべきハンドバッグの周りに保護カバー１を締め付けるために使用することができる引き紐３２を収容する縫い目３０を備え、前記縫い目３０はまた、前記引き紐３２が出る（図１及び図２）開口部３１を有する。この実施形態は、特に、小さなハンドバッグ用の保護カバーに好ましい。
【００４０】
本発明の他の好ましい実施形態では、閉鎖手段３は弾性手段である（図３）。閉鎖手段３は、ゴム紐を通す縫い目３０又はパイプを備え、このゴム紐の張力により、前記ラッピング要素２が全てのハンドバッグに適合されかつそれらに正確に保持されることが可能になる。
【００４１】
本発明の他の好ましい実施形態では、閉鎖手段３は、ハンドバッグに対して保護カバー１を最良に調整するために、同じ縫い目３０又はパイプに通す引き紐３２及びゴム紐を備える。この実施形態は、特に、小さなハンドバッグ用の保護カバーに好ましい。
【００４２】
ラッピング要素２、したがって、それが形成するポケットのサイズは、ハンドバッグの底部（図８）、好ましくはハンドバッグの底部の半分、有利にはハンドバッグの底部の３分の１、さらにより有利にはハンドバッグの底部の４分の１を覆うことを可能にするようなサイズである。
【００４３】
本発明の好ましい実施形態では、ラッピング要素２は長さ６０ｃｍ、幅１０ｃｍである。
【００４４】
それにもかかわらず、弾性材料から製造されたラッピング要素２により、保護カバー１が、任意のタイプのハンドバッグ、従来、長さ２０〜５０ｃｍ、幅５〜２０ｃｍ及び高さ１０〜３０ｃｍの範囲のサイズを有するハンドバッグに適合されることが可能になる。
【００４５】
保護カバー１はまた、前記カバー１を収納するための手段を備え、前記収納手段は、ラッピング要素２の外面２２に配置されかつ保護カバー１の外側に向かって開いている第１のポケット４と、ラッピング要素２の内面２１に配置されかつ保護カバー１の内側に向かって開いている第２のポケット５とを備える。
【００４６】
第１のポケット４及び第２のポケット５はカバー１の中間部に延びる。ポケット４と５の各々の上端は、好ましくは、保護カバー１の開口部２３に通じる開口部を形成する。
【００４７】
好ましくは、保護カバー１を収納するためのポケット４と５は、前記カバー１を収容することができるようなサイズを有する。長さ約６０ｃｍ、幅約１０ｃｍのサイズを有するラッピング要素２を備える保護カバー１の一例として、ポケット４と５は５〜２０ｃｍの幅、８〜２０ｃｍの長さ、３〜１０ｃｍの深さを有する。
【００４８】
第１のポケット４及び第２のポケット５は、任意の適切な材料から製造され、好ましくは可撓性材料から製造され、有利には、ラッピング要素２の１つ又は複数の材料と同じ材料、又は集合材料から製造される。
【００４９】
本発明による保護カバー１はまた、第１のラッピング要素２を保護するための第２のラッピング要素を備えてもよく、この第２のラッピング要素は第１のラッピング要素２に取り付けても取り付けなくてもよい。本発明による保護カバー１のこの実施形態は、ラッピング要素２が、不透過性でない１つ以上の織布要素又は不織布要素を備える場合に特に有利である。
【００５０】
好ましくは、第２のラッピング要素は、任意の適切な不透過性材料から部分的に又は完全に製造される。
【００５１】
好ましくは、第２のラッピング要素は、ラッピング要素２の底部を保護するために、ラッピング要素２のサイズと実質的に同一であるか又はそれよりも小さいサイズを有する。
【００５２】
好ましくは、第２のラッピング要素は閉鎖手段を備え、この閉鎖手段により、第２のラッピング要素が、第１のラッピング要素２の周りに、したがって、保護すべきバッグの周りに締め付けられることが可能になる。これらの閉鎖手段は第２のラッピング要素の周辺に及びその縁部に配置されることが好ましい。
【００５３】
保護カバー１はまた、第２のラッピング要素を収納する及び／又は取り出すための手段を備える。これらの収納手段は、第１のラッピング要素に取り付けられた単一の第２のラッピング要素を備えるポケットと、第１のラッピング要素の収納及び再利用を可能にするポケットとを備えてもよい。前記収納手段はまた、取り付けられずかつ使い捨て可能である複数の第２のラッピング要素を備えてもよく、このようにして、収納手段は取り出し手段としても役立つ。これらの収納手段はまた閉鎖手段、例えばジップファスナを備えてもよい。
【００５４】
一例として、本発明による保護カバー１は、長さ８８ｃｍ、幅３６ｃｍである長方形状のポリエステル布片から製造してもよい（図４）。外部ポケット４は、表面２２になるように意図された布面に配置され、ポケット５は、表面２１になるように意図された布面に配置される。好ましくは、ポケット４と５は、図４に示したように軸線Ａ−Ｂの両側に対称に配置され、ポケットの開口部は、保護カバー１の開口部２３を形成するように意図された布片の端部に向かって導かれる。布片は軸線Ａ−Ｂに沿って縦方向に２つに折り畳まれ、次に側面が縫着される。次に、ラッピング要素２の前記側面は軸線Ａ−Ｄ及びＥ−Ｆ（図５）に沿って切断され、正しく形成された縁部は、丸い縁部を形成するように縫着される。次に、縫い目３０（図４及び図５の点線で図示）が縫着され、次に、引き紐３２又はゴム紐が縫い目３０に通される。引き紐の場合、保護すべきハンドバッグの周りにカバーを締め付けるために使用される引き紐３２が出ることを可能にするために、開口部又はボタン穴が縫い目３０に形成される。
【００５５】
保護カバー１の他の実施形態では、カバーを収納するための第１のポケット４及び第２のポケット５は、カバー１が形成された後、閉鎖手段が形成される前に、表面２１と２２に縫着される。
【００５６】
本発明による保護カバー１は、一時的な使用のために意図され、保護すべきハンドバッグを永久的に覆うようには意図されない。
【００５７】
本発明による保護カバー１は、それを使用する前に、外部にある第１のポケット４に折り畳まれ、これにより、保護カバー１が最小の嵩（図６のａ））の状態でハンドバッグで持ち運ばれることが可能になる。ハンドバッグを保護するために必要なことは、カバー１をその第１のポケット４から取り外し、カバー１を開き（図７）、カバー１をハンドバッグの底部の周りに装着することだけである（図８）。正しく保護されたハンドバッグを地面に又は湿った及び／又は汚染された表面に置くことができる。次に、汚染された外面がカバー１の内部にくる程度に（図９）、次に、カバー１を取り外し、ラッピング要素２を裏返すことが十分であり、このようにして、捕捉汚染物をカバー１の内部に保持する。次に、カバー１は、以前は内部にあったが今は外部にある第２のポケット５に折り畳まれ、次に、カバー１を最小の嵩の状態でハンドバッグに収納することができ（図６、ｂ））、このようにして、汚染物が、ハンドバッグ内に既に存在している物体を汚染しないことを可能にする。
【図１】
2013516252.tif 000003
【図２】
2013516252.tif 000004
【図３】
2013516252.tif 000005
【図４】
2013516252.tif 000006
【図５】
2013516252.tif 000007
【図６】
2013516252.tif 000008
【図７】
2013516252.tif 000009
【図８】
2013516252.tif 000010
【図９】
2013516252.tif 000011
【国際調査報告】
2013516252.tif 000012
2013516252.tif 000013
2013516252.tif 000014
2013516252.tif 000015
2013516252.tif 000016
2013516252.tif 000017